(57)【要約】【課題】格納時に小型化が図れる三叉電気プラグを提供する。【解決手段】本発明は、三叉電気プラグ１の改善された設計に関し、プラグ１の複数のピンのうちの１本のピンが、接続部材を介してプラグの本体２に取り付けられる可動ピン５を構成する。可動ピン５は、作動位置と格納位置との間で移動可能であり、作動位置では、プラグを標準三叉ソケット（ＢＳ１３６３に準拠するものなど）に差し込むことができる。可動ピンが、作動位置から格納位置に移動すると、プラグの全体的寸法が縮小される。このことは、本発明のプラグが、従来の三叉プラグに比べて都合よく格納できることを意味している。【選択図】図２
2009532838.tif 000002
【特許請求の範囲】
【請求項１】
電気プラグであって、３本のピンと、１つの接続部材と、１つの本体とを備え、前記ピンのうちの１本のピンは、前記接続部材に回転可能に接続され、前記接続部材は、前記本体に回転可能に接続されていることを特徴とする電気プラグ。
【請求項２】
前記３本のピンのうちの２本は、いずれも前記接続部材に回転可能に接続されたピンではなく、前記本体に取り付けられ、前記本体に相対的に固定されていることを特徴とする請求項１に記載の電気プラグ。
【請求項３】
前記接続部材に回転可能に接続されている前記ピンは、格納位置と作動位置との間で移動可能であることを特徴とする請求項１または請求項２に記載の電気プラグ。
【請求項４】
前記接続部材に回転可能に接続されている前記ピンが作動位置にあるときに、前記他の２つのピンの長軸により定められる平面と、前記平面に対し法線方向にある前記接続部材に回転可能に接続されている前記ピンとの間の最大距離は、
前記他の２本のピンの長軸により定められる前記平面と、前記接続部材に回転可能に接続されている前記ピンが前記格納位置にあるときに前記平面に対し法線方向の接続部材に回転可能に接続されている前記ピンとの間の最大距離よりも大きいことを特徴とする請求項３に記載の電気プラグ。
【請求項５】
前記接続部材に回転可能に接続されている前記ピンは、前記接続部材への相対的回転により前記格納位置と前記作動位置との間で移動可能であることを特徴とする請求項３または請求項４に記載の電気プラグ。
【請求項６】
前記接続部材は、前記接続部材に回転可能に接続されている前記ピンが前記格納位置と前記作動位置との間で移動するときに前記本体に相対的に回転することができることを特徴とする請求項３から請求項５のいずれか一項に記載の電気プラグ。
【請求項７】
前記接続部材に回転可能に接続されている前記ピンは、前記格納位置にあるときに、前記他の２本のピンと実質的に同じ平面内に存在し、前記接続部材に回転可能に接続されている前記ピンは、前記作動位置にあるときに、前記他の２本のピンの前記平面の外に存在することを特徴とする請求項３から請求項６のいずれか一項に記載の電気プラグ。
【請求項８】
前記接続部材に回転可能に接続されている前記ピンが前記作動位置にあるときに、前記ピンの長軸は、前記他の２本のピンの前記長軸に平行でかつ、前記他の２本のピンの前記長軸により共有される前記平面とは異なる平面内に存在することを特徴とする請求項３から７のいずれか一項に記載の電気プラグ。
【請求項９】
前記接続部材に回転可能に接続されている前記ピンが前記作動位置にあるときの前記接続部材の前記長軸は、前記ピンが前記格納位置にあるときと比べて、前記ピンの前記長軸に対して垂直に近い状態であることを特徴とする請求項３から請求項８のいずれか一項に記載の電気プラグ。
【請求項１０】
前記接続部材に回転可能に接続されている前記ピンが前記格納位置にあるときに、前記ピンの長軸が、前記接続部材の長軸に対して３０度の角度範囲内に存在していることを特徴とする請求項３から請求項９のいずれか一項に記載の電気プラグ。
【請求項１１】
前記接続部材に回転可能に接続されている前記ピンが前記格納位置にあるときの前記接続部材の前記長軸は、前記接続部材に回転可能に接続されている前記ピンが前記作動位置にあるときと比べて、前記他の２本のピンの前記長軸に対して平行に近い状態であることを特徴とする請求項３から請求項１０のいずれか一項に記載の電気プラグ。
【請求項１２】
前記本体は、前記接続部材に回転可能に接続されている前記ピンが前記格納位置にあるときに、（ｉ）前記接続部材に回転可能に接続されている前記ピンと、（ｉｉ）前記接続部材とが配置されるスロットを備えることを特徴とする請求項３から請求項１１のいずれか一項に記載の電気プラグ。
【請求項１３】
前記接続部材は、前記本体の陥凹部内で回転可能に接続されており、前記接続部材に回転可能に接続されている前記ピンが前記作動位置に移動するときに、前記接続部材が前記本体の陥凹部の表面に当たって静止し、前記本体に相対的にさらに回転するのを防ぐことによりその向きを固定することを特徴とする請求項３から請求項１１のいずれか一項に記載の電気プラグ。
【請求項１４】
前記接続部材は、前記本体の前記陥凹部内で回転可能に接続されており、前記接続部材に回転可能に接続されている前記ピンが前記作動位置に移動するときに、前記接続部材が前記本体の陥凹部の表面に当たって静止し、前記本体に相対的にさらに回転するのを防ぐことによりその向きを固定するように構成され、前記陥凹部は、前記スロットに連通していることを特徴とする請求項１３に記載の電気プラグ。
【請求項１５】
前記本体の前記陥凹部の前記表面は、前記接続部材に回転可能に接続されている前記ピンのさらなる回転を防止して、前記ピンが前記他の２本のピンから離れるのを防ぐことを特徴とする請求項１３または請求項１４に記載の電気プラグ。
【請求項１６】
前記接続部材に回転可能に接続されている前記ピンが前記格納位置にあるときに、前記ピンおよび前記接続部材は、前記２本の他のピンと実質的に同じ方向で前記本体から外向きに突出することを特徴とする請求項３から請求項１５のいずれか一項に記載の電気プラグ。
【請求項１７】
さらに、前記接続部材に回転可能に接続されている前記ピンおよび／または前記接続部材を前記格納位置から前記作動位置に付勢する付勢手段を備えることを特徴とする請求項６から請求項１６のいずれか一項に記載の電気プラグ。
【請求項１８】
前記付勢手段は、バネを含むことを特徴とする請求項１７に記載の電気プラグ。
【請求項１９】
前記接続部材に回転可能に接続されている前記ピンおよび／または前記接続部材を前記格納位置に解放可能に拘束する拘束具を備えることを特徴とする請求項３から請求項１８のいずれか一項に記載の電気プラグ。
【請求項２０】
前記接続部材に回転可能に接続されている前記ピンの回転の軸は、前記２本の他のピンの長軸により形成される前記平面に実質的に平行であり、前記他の２本のピンの縦軸方向に対して実質的に垂直であることを特徴とする請求項１から請求項１９のいずれか一項に記載の電気プラグ。
【請求項２１】
前記接続部材の回転の軸は、前記２本の他のピンの長軸により形成される前記平面に実質的に平行であり、前記他の２本のピンの縦軸方向に対して実質的に垂直であることを特徴とする請求項１から請求項２０のいずれか一項に記載の電気プラグ。
【請求項２２】
（ｉ）前記接続部材に回転可能に接続されている前記ピンと（ｉｉ）前記接続部材の一方が突起部を備え、（ｉ）前記接続部材に回転可能に接続されている前記ピンと（ｉｉ）前記接続部材の他方が、前記突起部の移動が可能な溝を備えることを特徴とする請求項１から請求項２１のいずれか一項に記載の電気プラグ。
【請求項２３】
前記ピンは、前記突起部が前記溝の一方端部と係合する第１の位置に移動可能な構成を有することを特徴とする請求項２２に記載の電気プラグ。
【請求項２４】
前記本体は、前記プラグ用のヒューズを中に挿入するための凹部を備えることを特徴とする請求項１から請求項２３のいずれか一項に記載の電気プラグ。
【請求項２５】
前記接続部材は、前記接続部材の使用位置では、前記凹部にユーザーが接近するのを妨げ、前記接続部材の格納位置では、ユーザーが前記凹部に接近するのを許す突起部を備えることを特徴とする請求項２４に記載の電気プラグ。
【請求項２６】
前記凹部を覆うためのカバーを備えることを特徴とする請求項２４または請求項２５に記載の電気プラグ。
【請求項２７】
前記接続部材は、使用時に、前記可動ピンと前記接続部材との間の角度、および／または前記接続部材と前記本体との間の角度が、所定の最大値を超えないようにするストッパーを備えることを特徴とする請求項１から請求項２６のいずれか一項に記載の電気プラグ。
【請求項２８】
３本のピンと１つの本体を備える電気プラグであって、
前記ピンのうちの２本のピンの長軸により定められる平面に対し定められた法線方向の前記プラグの全体的寸法は、前記本体に固定されて長軸が前記平面を形成する前記２本の固定ピンに対して他の残りの１本の可動ピンを折り畳み、および／または回転させて、前記プラグを格納状態としたときよりも前記プラグを作動状態にしたときの方が大きくなることを特徴とする電気プラグ。
【請求項２９】
前記可動ピンは、格納位置である第１の位置から作動位置である第２の位置に移動可能であることを特徴とする請求項２８に記載の電気プラグ。
【請求項３０】
前記可動ピンに一端が回転可能に接続され、前記本体に他端が回転可能に接続された接続部材を備えることを特徴とする請求項２９に記載の電気プラグ。
【請求項３１】
前記可動ピンの長軸は、前記第１の位置と前記第２の位置の両方において実質的に同一の方向に向いていることを特徴とする請求項２９または請求項３０に記載の電気プラグ。
【請求項３２】
前記第１の位置と前記第２の位置との間における前記可動ピンの移動は、前記他の２本の固定ピンにより定められる前記平面に対して法線方向に延在しかつ前記可動ピンの長軸を含む平面に沿って平行に移動する軌跡を描くことを特徴とする請求項２９から請求項３１のいずれか一項に記載の電気プラグ。
【請求項３３】
前記第１の位置と前記第２の位置との間における前記可動ピンの移動は、前記移動平面に対する法線方向の軸を中心とする回転を含まないことを特徴とする請求項３２に記載の電気プラグ。
【請求項３４】
前記第１の位置と前記第２の位置との間における前記可動ピンの移動は、前記移動平面に対する法線方向の軸を中心とする回転を含むことを特徴とする請求項３２に記載の電気プラグ。
【請求項３５】
前記回転は、１５０度から２１０度までであることを特徴とする請求項３４に記載の電気プラグ。
【請求項３６】
前記回転の角度は、−３０度から＋３０度までであることを特徴とする請求項３４に記載の電気プラグ。
【請求項３７】
前記可動ピンまたは前記接続部材に回転可能に接続されている前記ピンは、アースピンであることを特徴とする請求項１から請求項３６のいずれか一項に記載の電気プラグ。
【請求項３８】
前記可動ピンまたは前記接続部材に回転可能に接続されている前記ピンは、少なくとも部分的には非導電性材料から作られていることを特徴とする請求項１から請求項３７のいずれか一項に記載の電気プラグ。
【請求項３９】
前記可動ピンまたは前記接続部材に回転可能に接続されている前記ピンは、プラスチックまたはカーボンファイバーから作られることを特徴とする請求項１から請求項３８のいずれか一項に記載の電気プラグ。
【請求項４０】
前記電気プラグは、二重絶縁プラグであることを特徴とする請求項１から請求項３９のいずれか一項に記載の電気プラグ。
【請求項４１】
前記本体は、ハウジングであることを特徴とする請求項１から請求項４０のいずれか一項に記載の電気プラグ。
【請求項４２】
さらに、電気ケーブルを備え、前記電気ケーブルは、前記ピンと電気的に接触していることを特徴とする請求項１から請求項４１のいずれか一項に記載の電気プラグ。
【請求項４３】
２つの開口部を持つソケットを備える本体を有する請求項１から請求項４１のいずれかに記載した電気プラグを具備することを特徴とする電気プラグアダプタ。
【請求項４４】
前記ソケットの開口部内の電気接点、及び、前記ピンのうちの１本のピンと電気接点との間の電気的接続部、及び、前記ピンのうちの他の１本のピンと前記他の電気接点との間の電気的接続部を備えることを特徴とする請求項４３に記載の電気プラグアダプタ。
【請求項４５】
請求項１から請求項４１に記載の前記電気プラグを備えることを特徴とする充電器ユニットまたは電源。
【請求項４６】
電気デバイスに差し込むのに適しているケーブルを備えることを特徴とする請求項４５に記載の充電器ユニットまたは電源。
【請求項４７】
前記充電器ユニットまたは電源のコンポーネントを収納するためのハウジングを備えることを特徴とする請求項４５または請求項４６に記載の充電器または電源。
【請求項４８】
前記ハウジングは、前記本体に相対的に回転可能であることを特徴とする請求項４７に記載の充電器ユニットまたは電源。
【請求項４９】
前記ハウジングおよび本体は、前記本体に相対的な前記接続部材の回転の中心となる軸に実質的に平行な軸によって互いに回転可能に支持されていることを特徴とする請求項４８に記載の充電器ユニットまたは電源。
【請求項５０】
携帯電話、ＰＤＡ、ラジオ、ＭＰ３プレーヤー、ラップトップ型コンピュータ、パームトップ型コンピュータ、またはＧＰＳデバイスを充電するのに適していることを特徴とする請求項４５から請求項４９のいずれか一項に記載の充電器ユニットまたは電源。
【請求項５１】
さらに、前記充電器を備え、前記充電器の一部は、前記本体内に含まれることを特徴とする請求項４５から請求項５０のいずれか一項に記載の充電器ユニットまたは電源。
【請求項５２】
２本のピンと、標準三叉プラグのライブピンおよびニュートラルピンを受け入れるための２つの開口部と、を備えることを特徴とする電気プラグアダプタ。
【請求項５３】
本体と３本のピンを備える電気プラグであって、前記ピンのうちの少なくとも１本のピンは、前記プラグの少なくとも１つの全体的寸法が使用位置のときよりも小さい格納位置から、使用位置での前記プラグのヒューズへの接近が阻止される使用位置まで移動可能であることを特徴とする電気プラグ。
【請求項５４】
前記ヒューズへの接近は、前記使用位置における前記可動ピンの正しい位置決めのため前記プラグの少なくとも１つのコンポーネントの必要な位置により前記使用位置において阻止されることを特徴とする請求項５３に記載の電気プラグ。
【請求項５５】
さらに、請求項１から請求項４２のいずれか一項に記載の特徴を備えることを特徴とする請求項５３または請求項５４に記載の電気プラグ。
【請求項５６】
電気デバイスであって、
ハウジングと、
少なくとも２つの挿入物とを備え、前記各挿入物は前記ハウジング内に挿入可能に製作され、それぞれの挿入物は電気ソケット内に挿入可能な少なくとも１本のピンを備えることを特徴とする電気デバイス。
【請求項５７】
それぞれの挿入物は、前記ハウジング内に挿入されたときに前記ハウジングに相対的に回転可能に製作されることを特徴とする請求項５６に記載の電気デバイス。
【請求項５８】
前記ハウジングは、充電器ユニット、電源ユニット、またはプラグであることを特徴とする請求項５６または請求項５７に記載の電気デバイス。
【請求項５９】
実質的に以上で説明したように、または付属の図面のうちの１つを参照して、製作され、配列されたことを特徴とする電気プラグ。
【請求項６０】
実質的に以上で説明したように、または付属の図面のうちの１つを参照して、製作され、配列されたことを特徴とする電気プラグアダプタ。
【請求項６１】
実質的に以上で説明したように、または付属の図面のうちの１つを参照して、製作され、配列されたことを特徴とする充電器ユニット。
【発明の詳細な説明】
【技術分野】
【０００１】
本発明は、三叉電気プラグの改善された設計に関する。
【背景技術】
【０００２】
従来の三叉プラグは、３本のピンすべてが取り付けられ、３本のピンすべてが外を向いている本体を備える。英国では、このような従来のプラグは、ＢＳ１３６３に準拠している。この従来の設計では、３本のピンはすべて、本体に対し位置を固定されている。このような配列であるということは、従来の三叉電気プラグが、比較的広い、固定された体積を占有することを意味する。
【発明の開示】
【発明が解決しようとする課題】
【０００３】
パームトップ型またはラップトップ型のコンピュータなどの現代の電気デバイスのいっそうの小型化が進むにつれ、伝統的な三叉プラグが占有する総体積が、デバイスそれ自体が占有する体積のかなりの割合を占めるようになってきている。
【０００４】
このことは、電子デバイスおよびプラグ（例えば、電源リードに接続することが可能である）を同じパッケージングに格納する場合に特に問題になる。この問題は、伝統的な三叉プラグが、形状に関して、３つの寸法すべてがほぼ同じ長さである立方体に類似しているという事実により悪化する。これは、一方の寸法が他の２つの寸法に比べて目立って小さい、プラグが使用される電気デバイス、例えば、ラップトップ型コンピュータとは対照的である。
【０００５】
結果として、伝統的な三叉プラグの最小の寸法は、多くの場合、電気デバイスそれ自体の最小の寸法よりも長いものとなる。このことは、電気デバイスと三叉プラグを両方とも収納するように設計されているパッケージングの１つの寸法が、プラグそれ自体によって決められ、そのため、電子デバイスのみを収納するだけでよい場合と比べて幅広になる可能性のあることを意味する。
【課題を解決するための手段】
【０００６】
本発明の電気プラグは、３本のピンと、１つの接続部材と、１つの本体とを備え、ピンのうちの１本は、接続部材に回転可能に接続され、接続部材は、本体に回転可能に接続される。これにより、プラグの形状は、本体に対するピンの相対的移動、例えば、可動ピンを作動位置から格納位置に移動することにより変えることができる。
【０００７】
本発明の他の実施形態によれば、これら３本のピンのうちの２本は、いずれも接続部材に回転可能に接続されたピン（これ以降、「可動ピン」と呼ぶ）ではなく、本体に取り付けられ、本体に相対的に固定される。これら２本の固定されたピンの長軸は、平面を形成し、可動ピンは、作動位置にあるときに比べて格納位置にあるときの方が可動ピンの長軸がこの平面内に横たわる形に近いように折り畳み可能であるものとするとよい。
【０００８】
可動ピンは、接続部材への相対的回転により格納位置と作動位置との間で可動なものとしてよい。他の実施形態によれば、可動ピンが作動位置にあるときの接続部材の長軸は、前記可動ピンが格納位置にあるときに比べて、接続されている前記可動ピンの長軸に垂直である状態に近くなる。これは、可動ピンおよび接続部材の長軸は、可動ピンが作動位置にあるときよりも可動ピンが格納位置にあるときにより密接に揃えることができ、これにより、接続部材／可動ピンアセンブリの全体的寸法を縮小することができるという利点を有する。
【０００９】
本発明の一実施形態によれば、可動ピンが作動位置にあるときの他の２本のピンの軸により定められる平面と前記平面に対し法線方向にある可動ピンとの間の最大距離は、可動ピンが格納位置にあるときの他の２本の軸により定められる平面と前記平面に対し法線方向にある可動ピンとの間の最大距離よりも大きい。このような構造の場合、本発明の三叉電気プラグの少なくとも１つの全体的寸法は、可動ピンが作動位置にあるときよりも可動ピンが格納位置にあるときの方が小さい。このようにして、電気プラグは、可動ピンが作動位置にあるときよりも可動ピンが格納位置にあるときの方がより平坦なものとすることができる。
【００１０】
格納位置では、可動ピンの長軸は、好ましくは、他の２本のピンの軸により定められる平面内に実質的に置かれる。このことは、３本のピンは、従来のプラグの場合のように配列された３本のピンを格納するのに必要な体積の最小寸法に比べて小さい最小寸法を有する体積内に格納されうることを意味する。他の実施形態では、可動ピンが格納位置にあるときに、３本のピンすべての長軸は、３本のピンを格納するのに必要な体積の最小寸法を最小にするために実質的に平行である。
【００１１】
他の実施形態では、３本のピンの長軸は、可動ピンが格納位置にあるときにほぼ同じ方向を向いているだけでよい。これは、可動ピンが固定ピンの長軸と同じ平面内に置かれていない点のところで本体に取り付けられている場合に可動ピンが格納位置にあるときにプラグの厚さを最小にするうえで都合がよいと考えられる。好ましくは、３本のピンの長軸は、可動ピンが格納位置にあるときに互いの軸の３０度以内にあり、より好ましくは、これらのピンは、可動ピンが格納位置にあるときに互いの軸の１０度以内にある。
【００１２】
他の実施形態では、可動ピンが格納位置にあるときに、接続部材の長軸は、可動ピンの長軸に平行であるか、またはほぼ平行であり、これにより、接続部材も、他の２本のピンの長軸により形成される平面内に実質的に置かれる。他の実施形態によれば、可動ピンが格納位置にあるときに、前記ピンの長軸は、接続部材の長軸の３０度以内にある。これは、２本の固定ピンの長軸の平面の法線方向のプラグの全厚を減らすという利点を有する。
【００１３】
好ましくは、可動ピンが格納位置にあるときに、３本のピンのすべておよび接続部材は、同じ平面内に実質的に置かれる。さらに、本発明の他の実施形態では、プラグの本体は、２本の固定ピンの長軸により形成される平面の法線方向の寸法が、比較的小さくなるように形成することができ、したがって、可動ピンが格納位置にあるときには、プラグ装置全体が、実質的に平たくなる。
【００１４】
可動ピンが作動位置にある場合、プラグの３本のピンは、互いのピンに相対的に従来の三叉プラグのピンと同じ位置にある。他の実施形態では、ピンの相対的位置は、ＢＳ１３６３による英国標準プラグと同じ位置にある。他の実施形態では、ピンの形状は、ＢＳ１３６３に準拠する３本のピンの形状と同じ形状であり、したがって、可動ピンが作動位置にあるときに、本発明のプラグを、ＢＳ１３６３に準拠する英国標準ソケットに差し込むことができる。
【００１５】
他の実施形態によれば、接続部材は、可動ピンが格納位置と作動位置との間で移動するときに本体に相対的に回転する。これにより、接続部材は、長軸が２本の固定ピンの長軸により形成される平面に平行であるか、またはほぼ平行である位置と、その長軸が２本の固定ピンの長軸により形成される平面に平行でない位置との間で折り畳み可能であるものにできる。
【００１６】
本発明の他の実施の形態によれば、３本のピンと１つの本体を備える電気プラグが実現され、これらのピンのうちの２本のピンの長軸により定められる平面に対し定められた法線方向のプラグの全体的寸法は、プラグが格納状態にあるときよりもプラグが作動状態にあるときの方が大きく、また長軸が前記平面を形成する２本のピンは、本体に相対的に固定される。したがって、三叉電気プラグの少なくとも１つの全体的寸法は、プラグが作動状態から格納状態に移動したときに縮小され、これにより、プラグの格納が容易になる。
【００１７】
本発明の他の実施の形態によれば、一方のピンが第１の位置から第２の位置に移動可能であり、前記可動ピンの長軸は第１の位置と第２の位置の両方においてプラグの本体に相対的に実質的に同じ方向である、３本のピンを備える電気プラグが実現される。可動ピンの移動は、本体に相対的な回転のみ、本体に相対的な平行移動のみ、または本体に相対的な回転と平行移動の組み合わせを含むことができる。一実施形態では、第１の位置は、作動位置とすることが可能であり、第２の位置は、格納位置とすることが可能であり、プラグの全体的寸法は、作動位置のときよりも格納位置のときの方が小さい。このため、プラグを格納するために必要なパッケージングの最小寸法を、従来の三叉プラグの場合に、または可動ピンが作動位置にあるときの本発明によるプラグの場合に要求される最小寸法よりも小さくすることができる。
【００１８】
本発明の他の実施の形態によれば、上述のような、さらに本体に２つの開口部を備える、電気プラグアダプタが実現される。この電気プラグアダプタを使用することで、従来の二叉プラグを三叉プラグアダプタに差し込むのに要求される最小寸法に比べて、より小さな最小寸法に納めることができるという利点を保ちつつ、従来の二叉プラグ（米国または欧州大陸で使用されているようなプラグ）を従来の三叉ソケット（英国、マレーシア、シンガポール、香港、マルタ、キプロス、またはアイルランドで使用されているようなソケット）に差し込むことが可能になる。
【００１９】
本発明の更に他の実施の形態によれば、２本のピンと標準三叉プラグのライブピンおよびニュートラルピンを受け入れるための２つの開口部を備える電気プラグアダプタが実現される。一実施形態では、標準三叉プラグは、英国用プラグとすることが可能である。本明細書で説明されている電気プラグの複数の実施形態のうちのどれか１つの実施形態の電気プラグをそのような電気プラグアダプタとともに使用することで、三叉プラグを装着した電子機器を、二叉ソケットが使われている国で、かさばる三叉−二叉プラグ変換アダプタを用いずに使用することが可能である。
【００２０】
本発明によるプラグは、さまざまな用途に対応するように適合されうる。例えば、本発明の一実施の形態により、本願において説明されている複数の実施形態のどれかの実施形態の電気プラグおよび電気デバイスに適宜差し込めるケーブルを備える充電器ユニットが実現される。
【００２１】
充電器ユニットは、さらに、好適な充電装置を備え、その一部または全部を電気プラグの本体またはハウジング内に備えることが可能である。他の実施形態では、充電装置は、プラグのハウジングの外部に設けることが可能である。例えば、充電ユニットは、携帯電話、ＰＤＡ、ラジオ、ＭＰ３プレーヤー、ラップトップ型コンピュータ、パームトップ型コンピュータ、またはＧＰＳデバイスを充電するのに適していると考えられる。折り畳み可能又は移動可能なピンは、充電器を従来の３ピン型充電器よりも平坦化するために折り畳むことができる手段である。
【００２２】
他の実施形態によれば、上述の電気プラグは、電気ケーブルの第１の端部に接続することが可能であり、これは、ラップトップ型コンピュータなどの電気機器に給電するのに使用されるトランスに接続される第２の端部を有する。他の実施形態では、電気ケーブルの第２の端部を電気ソケットに接続し、プラグを電気機器に差し込むことが可能である。両方の場合において、折り畳み可能または可動ピンであるということは、プラグおよびケーブル装置を、同等の従来の三叉プラグおよびケーブル装置に比べて平たい体積内に格納できることを意味する。
【００２３】
本発明は、付属の図面を参照しつつ実施例のみを用いて説明される。
【発明の効果】
【００２４】
本発明によれば、可動ピンおよび接続部材を作動位置から格納位置に移動させることができる。従って、可動ピンおよび接続部材をより密接に揃えて平坦化することができ、プラグ全体の寸法を縮小することができる。
【発明を実施するための最良の形態】
【００２５】
本発明は、類似の参照番号が同じまたは類似のコンポーネントを指し示す添付の図面に示されている実施形態を参照しつつ説明される。
【００２６】
図１および２は、上面２Ａおよび下面２Ｂを有する本体またはフレーム２、および３本のピン３、４、５を備える電気プラグ１を示している。この説明では、「ピン」という用語は、プラグソケットに挿入するのに適しているプラグの部分を意味する。複数の電気ピンのうちの１本のピンは、接続部材６を介して本体２に接続されている可動ピン５である、つまり、本体２への取り付けが固定されていないということである。接続部材６は、本体２と異なる。
【００２７】
可動ピン５は、近位端５Ａと遠位端５Ｂを有し、接続部材６は、近位端６Ａと遠位端６Ｂを有する。図に示されている実施形態では、接続部材６の近位端６Ａは、本体２に回転可能に取り付けられるか、または枢動するように取り付けられ、可動ピン５の近位端５Ａは、接続部材６の遠位端６Ｂに回転可能に取り付けられるか、または枢動するように取り付けられる。
【００２８】
図に示されている実施形態では、複数のピンのうちの２本のピン３、４は、本体２に取り付けられ、本体に相対的な位置で固定される、つまり、操作者側で自由に動かせるようには設計されていない。
【００２９】
本発明は、三叉電気プラグの格納に必要な体積の最小寸法を低減する。一実施形態では、伝統的な三叉プラグ（英国、マレーシア、シンガポール、香港、マルタ、キプロス、またはアイルランドで使用されているものなど）と同じ配列になっている作動位置である第１の位置と、本発明の三叉プラグにより占有される格納体積がより小さな最小な寸法を有する格納位置である第２の位置との間で、移動可能な複数のピンのうちの１本のピンを電気プラグのピンが備えることにより、その目的は達成される。
【００３０】
図に示されている実施形態では、可動ピン５が作動位置にある場合、３本すべてのピン３、４、５の長軸は、揃えられ、可動ピン５は、２本の固定ピンよりもさらに前へ延びる。つまり、ＢＳ１３６３に準拠する従来の三叉プラグの場合と同様であろうが、可動ピン５の先端は、２本の固定ピン３、４の長軸に対し法線方向にある、本体２の一番前の点を通過する平面から、２本の固定ピン３、４の先端に比べて遠くにある。プラグ１の作動時に、この構成のおかげで可動ピン５を２本の固定ピン３、４の前の３孔ソケットに入れることができ、したがって、２本の固定ピン３、４の接触ゲートが開くが、これは、ＢＳ１３６３に準拠する従来の英国用ソケットの作動時のアースピンの機能である。
【００３１】
他の実施形態によれば、３本のピン３、４、５と１つの本体２を備える電気プラグ１があり、これらのピン３、４、５のうちの２本のピン３、４の長軸により定められる平面に対し定められた法線方向のプラグ１の全体的寸法は、プラグ１が格納状態にあるときよりもプラグ１が作動状態にあるときの方が大きく、また長軸が前記平面を形成する２本のピン３、４は、本体２に相対的に固定される。
【００３２】
図に示されている実施形態では、接続部材６は、付属の図５に示されているように、第１のシャフト７により本体２に回転可能に取り付けられるか、蝶番で連結され、２本の固定された固定ピン３、４の長軸により形成された平面に平行であり、２本の固定ピン３、４の長軸に垂直である回転中心軸を中心に回転可能である。図に示されている実施形態では、この軸は、本体２の下面２Ｂと２本の静止ピン３、４の長軸により形成される平面との間にある。他の実施形態では、回転中心軸は、本体２の上面２Ａと２本の静止ピン３、４の長軸により形成される平面との間にあるか、または２本の静止ピン３、４の長軸により形成される平面内にあってもよい。
【００３３】
可動ピン５は、接続部材６の回転中心軸に実質的に平行な軸を中心として回転可能または枢動可能であるように、第２のシャフト８により接続部材６の遠位端６Ｂに対し近位端５Ａのところで回転可能に取り付けられるか、または蝶番で連結される。
【００３４】
他の実施形態では、可動ピン５は、接続部材６の回転中心軸に実質的に垂直な軸を中心として回転可能または枢動可能であるように、第２のシャフト８により接続部材６の遠位端６Ｂに対し近位端５Ａのところで蝶番により連結される。
【００３５】
図に示されている実施形態では、２本の静止している、固定ピン３、４の長軸により形成される平面上への可動ピン５の長軸の突出は、可動ピン５が作動位置と格納位置の両方にあるときに２本の固定ピン３、４の長軸から等距離にある。他の実施形態では、２本の固定ピン３、４の長軸により形成される平面上への可動ピン５の長軸の突出は、可動ピン５が格納位置にあるときに２本のピン３、４の長軸から等距離にない場合がある。
【００３６】
他の実施形態では、２本の固定ピン３、４の長軸により形成される平面上への可動ピン５の長軸の突出は、可動ピン５が格納位置にあるときに２本のピン３、４の長軸に平行でない場合がある。
【００３７】
他の実施形態では、２本の固定ピン３、４の長軸により形成される平面上への可動ピン５の長軸の突出は、可動ピン５が格納位置にあるときに２本のピン３、４の長軸に垂直である場合がある。
【００３８】
他の実施形態では、これらの接続部材６は、複数のセグメントを備えることができる。これらのセグメントは、独立して回転可能であってよい。
【００３９】
図１および図４Ｂは、可動ピン５が格納位置にあるときの本発明の一実施形態によるプラグ１の配列を示している。図からわかるように、可動ピン５および接続部材６の長軸は、プラグ１がこの構成にあるときに揃えることができる。
【００４０】
本発明を利用することで、複数のピン３、４、５のうち、作動位置と格納位置との間で移動可能な１本の可動ピン５を持たせることにより、三叉プラグ１の格納に必要な形状および／または体積を変えることができる。したがって、本発明の他の実施形態では、可動ピン５および接続部材６は、必ずしも、可動ピン５が格納位置にあるときに長軸が揃えられている必要はないことは理解されるであろう。例えば、図４Ｃに示されているように、可動ピン５が格納位置にあるときに、接続部材６の近位端６Ａは本体２の下面２Ｂの方に向けて配置され、可動ピン５の遠位端５Ｂは接続部材６の近位端６Ａの上に（本体２の上面２Ａの方に向けて）配置される。
【００４１】
それとは別に、接続部材５の近位端６Ａは本体２の上面２Ａの方に向けて配置され、可動ピン５の遠位端５Ｂは接続部材６の近位端６Ａの下に（本体２の下面２Ｂの方に向けて）配置されてもよい。これらの両方の場合において、可動ピン５および接続部材６の長軸は、揃えられていないが、格納位置にあるプラグが必要とする全体的格納体積は、可動ピン５および接続部材６の長軸が揃えられている図１および図４Ｂに示されている実施形態により必要とされるものと類似している。
【００４２】
他の実施形態では、可動ピン５が格納位置にあるときに、その長軸は、２本の固定ピン３、４の長軸に対し実質的に法線方向にあり、また２本の固定ピン３、４の長軸により形成される平面に実質的に平行である。好ましくは、可動ピン５の長軸は、作動位置にあるときに比べて格納位置にあるときの方が２本の固定ピン３、４の長軸により形成される平面に近く、より好ましくは、可動ピン５の長軸は、格納位置にあるときに２本の固定ピン３、４の長軸により形成されるのと同じ平面内に実質的に置かれる。
【００４３】
プラグの格納体積の最小寸法を低減するために、可動ピン５が格納位置にあるときに、その長軸を、２本の固定ピン３、４の長軸とほぼ同じ平面内に置くことができる。接続部材６の長軸は、さらに、ほぼ同じ平面内にあってもよく、これにより、３本のピン３、４、５すべてと接続部材６は、可動ピン５が格納位置にあるときに実質的に平坦な装置を形成する。他の実施形態では、可動ピン５および接続部材６の軸は、可動ピン５が格納位置にあるときに２本静止ピン３、４の長軸の３０度以内である。他の実施形態では、可動ピン５および接続部材６の長軸は、可動ピン５が格納位置にあるときに２本の静止ピン３、４の長軸に対して１０度の角度範囲内である。
【００４４】
２本の静止ピン３、４の長軸により形成される平面内に置かれていない第１のシャフト７の軸を有する一実施形態では、図４Ａに示されているように、パッケージングを改善するために、可動ピン５の長軸および／または接続部材６の長軸を２本の固定ピン３、４の長軸に平行でないようにすると都合がよいと思われる。
【００４５】
図１〜図４に示されている実施形態では、ハウジング２は、第１のシャフト７を使用して接続部材６の近位端６Ａが取り付けられている陥凹部９を有する。この陥凹部９は、陥凹部９が、本体２の上面２Ａ側よりも本体２の下面２Ｂ側に広くなるような狭隘部１０を備える。これにより、可動ピン５の遠位端５Ｂさらには接続部材６の回転可能に取り付けられている近位端６Ａを、可動ピン５が格納位置にあるときに陥凹部９の広くなっている部分の中に収納することができる。さらに狭隘部１０により、陥凹部９は、第１のシャフト７により定められる軸を中心に接続部材６を回転移動できるようにするために必要な幅を有するが、本体２の陥凹部９内で接続部材６を横方向に移動できるほどには広くない。
【００４６】
図に示されている実施形態では、２本の固定ピン３、４の長軸により形成される平面の法線方向の陥凹部９の狭い部分の中心線は、他の固定ピン４に比べて複数の固定ピン３のうちの１本の固定ピン３により近い。他の実施形態では、２本の固定ピン３、４の長軸により形成される平面の法線方向の陥凹部の狭い部分の中心線は、２本の固定ピンの長軸から等距離にある。
【００４７】
さらに、図１および図２に示されている実施形態では、可動ピン５が格納位置と作動位置との間に移動したときに、狭隘部または段１０は、可動ピン５の上で、可動ピン５を接続部材６に接続する第２のシャフト８により定められる軸を中心に互いに可動ピン５および接続部材６の長軸を回転させ、それにより、可動ピン５が作動位置に移動するときに独立してより容易に移動できるように可動ピン５と接続部材６を分離する。
【００４８】
図１〜４に示されている実施形態では、可動ピン５が作動位置にある場合（図２に示されているように）、接続部材６の位置は、陥凹部９の背面１１と係合する接続部材６の背面により決定される。好ましくは、接続部材６の回転の中心となる第１のシャフト７は、接続部材６の背面と作動位置にある陥凹部９の背面１１との間に大きな接触領域があり、接続部材６の支持力を高め、プラグの構造的完全性および寿命を改善するように本体２の下面２Ｂの方に向けて配置される。
【００４９】
他の本実施形態では、可動ピン５が作動位置にあるときに接続部材６の位置を決めるスナップ式の取付具がある。スナップ式取付具は、本体２または接続部材６のいずれかにノッチを備えることができ、可動ピン５が作動位置にあるために必要な位置に接続部材６が置かれている場合に、ノッチの中に本体２または接続部材６のいずれかの他方の突出部が嵌合する。
【００５０】
図に示されている実施形態では、例えば図２に示されているように、可動ピン５が作動位置にある場合、接続部材６の長軸は、２本の静止ピン３、４の長軸により形成される平面のほぼ法線方向にあり、可動ピン５の長軸は接続部材６の長軸にほぼ垂直である。他の実施形態では、可動ピン５が作動位置にある場合に、接続部材６は、２本の固定ピン３、４の長軸により形成される平面に垂直でなくてもよく、また可動ピン５の長軸も、作動位置にある接続部材６の長軸に垂直でなくてもよい。唯一の必要条件は、作動位置では、３本のピンが、例えばＢＳ１３６３に準拠するソケットなどの従来の三叉プラグソケットに挿入できるように配列されるということである。
【００５１】
格納位置にある図４Ｂに示されている実施形態では、可動ピン５および接続部材６は、２本の固定ピン３、４とほぼ同じ方向で本体２から外へ延びる。代替え実施形態では、本体２は、本体２の上面２Ａ側または下面２Ｂ側のいずれかにスロットを備えることが可能であり、この中に接続部材６と格納状態に回転された可動ピン５との両方が中に入るように構成されている。スロットは、接続部材６が枢着される陥凹部９と連通する構成としてもよく、また、連通していない構成としてもよい。接続部材６および可動ピン５が、そのようなスロット内に格納される場合、可動ピン５は、２本の固定ピン３、４の長軸を含む平面に平行で、格納位置と作動位置との間で移動したときに２本の固定ピン３、４の軸の法線方向にある軸を中心として約１８０度の角度まで回転する。他の実施形態では、回転は、１５０度から２１０度までの間とすることも可能である。
【００５２】
可動ピン５は、図７に示されているように、突出部１２を備えることができる。突出部１２は、突出部１２が溝１３の第１の端部１３Ａと係合するときに、可動ピン５に対する接続部材６の相対位置が作動位置のときと同じになるように、接続部材６内に形成される溝１３内に延びている。溝１３はまた、突出部１２が溝１３の第２の端部１３Ｂと係合するときに、接続部材６に対する可動ピン５の相対位置が格納位置にあるときと同じになるように形成される。このようにして、接続部材６および可動ピン５の相対位置は、突出部１２および溝１３により格納位置と作動位置に定められる。代替え実施形態では、突出部１２は、接続部材６上に配置することが可能であり、これは可動ピン５上の溝１３の内側に延びている。
【００５３】
図３Ａに示されている実施形態では、接続部材は、接続部材６がさらに回転して作動位置から離れるのを防ぐストッパー１４を有する。これは、図３Ａに示されている実施形態において、角度の付いている近位端１４を有する接続部材６により実現され、その端部の一部または全部は、可動ピン５が格納位置に移動したときに陥凹部９の背面１１と回転可能に係合する。このようにして、接続部材６の長軸の方向は、可動ピン５が格納位置にあるときに固定されうる。
【００５４】
図６に例示されているように、可動ピン５の一方または両方および接続部材６が、格納位置から作動位置に付勢するための付勢手段１５、１６を備えることができる。付勢手段は、バネ１５、１６を備えることができる。図に示されている実施形態では、第１の付勢手段１５は、接続部材６の近位端６Ａを本体２に接続する第１のシャフト７を中心として格納位置から作動位置に回転するように接続部材６を付勢する。また、図に示されている実施形態では、第２の付勢手段１６は、可動ピン５の近位端５Ａを接続部材６の遠位端６Ｂに接続する接続シャフト８の長軸を中心にして、格納位置にある接続部材６に対する可動ピン５の相対位置から作動位置にある接続部材６に対する可動ピン５の相対位置まで回転させるように可動ピン５を付勢する。異なる実施形態は、第１および第２の付勢手段の一方の配列、両方の配列、他の配列を有しうるか、またはいずれも有しえない。
【００５５】
可動ピン５および接続部材６を格納位置に保持するために、拘束具１７を使用することができる。図５に示されている実施形態では、拘束具またはクリップ１７は、接続部材６が格納位置から作動位置に移動するのを防ぐ第１の延長部１７Ａ、および可動ピン５が格納位置から作動位置に移動するのを防ぐ第２の延長部１７Ｂを有する。クリップ１７は、可動ピン５および接続部材６が、例えば、バネとすることも可能である、付勢手段１８により格納位置から作動位置に移動するのを防ぐ位置の方へ付勢される。この機能を遂行するクリップ１７は、接続部材６および可動ピン５を格納位置から作動位置に付勢する付勢手段１５、１６を有する実施形態、さらにはそのような付勢手段を持たない実施形態でも使用することが可能である。
【００５６】
可動ピン５は、例えば、アースピンとすることが可能である。他の実施形態では、可動ピン５は、ライブピンまたはニュートラルピンのいずれかとすることも可能である。可動ピン５がアースピンである場合、プラスチックまたはカーボンファイバーなどの非導電性材料（一部または全部）から作ることが可能である。例えば、多くのモデム電子デバイスでは、アース接続を有しないプラグを使用し、アースピンは三叉プラグのライブピンおよびニュートラルピンに対する接触ゲートを開くためにのみ使用される。この場合、非導電性材料は、アースピンに使用することが可能である。他の実施形態では、可動ピンは、部分的にまたは全部金属から作ることが可能である。
【００５７】
一実施形態では、２本の固定ピン３、４をライブピンおよびニュートラルピンとすることが可能であり、また一部または全部金属から作ることも可能である。一実施形態では、２本の固定ピン３、４は、部分的に金属を使用した表面、および部分的に絶縁された表面を有する。
【００５８】
本体２は、二重に絶縁することが可能である。さらに、本体２は、ヒューズを収納することが可能なハウジングを備えることも可能である。
【００５９】
他の実施形態では、本体またはハウジング２は、２つまたはそれ以上の部分を含むことができる。２つまたはそれ以上の部分は、締め付け手段を使用して接続するか、取り付けるか、または固定することができる。締め付け手段は、クリップなどの本体またはハウジング２の２つまたはそれ以上の部分のうちのいずれかの部分としてよいか、または締め付け手段を、１つまたは複数のネジなど、本体またはハウジング２の２つまたはそれ以上の部分から分離することが可能である。
【００６０】
好ましくは、２本の固定ピン３、４の長軸により形成される平面に対して法線方向の本体２の最大高さは、２本の固定ピン３、４の長軸により形成される平面に対し法線方向の２本の固定ピン３、４の高さの３倍未満である。他の実施形態では、２本の固定ピン３、４の長軸により形成される平面に対して法線方向の本体２の最大高さは、２本の固定ピン３、４の長軸により形成される平面に対し法線方向の２本の固定ピン３、４の高さの最大４倍とすることが可能であり、それでも、従来の三叉プラグに比べて可動ピン５が格納位置にあるときの方が薄いプラグを有するなどの利点を持つ。
【００６１】
他の実施形態では、第１の端部のところでプラグの電気接点に接続される、本体２から延びる電気ケーブルがある。ケーブルの第２の端部には、例えば電気機器に直接接続する他のプラグまたはソケットがありうる。この実施形態では、本発明のプラグ、ケーブル、および他のプラグもしくはソケットは、電力ケーブル装置を形成する。それとは別に、ケーブルの第２の端部をトランスに接続し、電源を電気機器向けに変換する際に使用することが可能である。
【００６２】
図８Ａおよび図８Ｂに示されている本発明の他の実施の形態によれば、上述の三叉プラグを他の国の従来の二叉ソケットとともに使用できるようにするために使用することが可能なアダプタソケット１９が実現される。アダプタ１９は、従来の三叉−二叉プラグ変換アダプタよりも小型であるが、それは、３本すべてのピンではなく、可動ピン５とは別の２本のピン３、４を受け入れる２つの孔２０があればよいからである。アダプタ１９は、２つの孔２０を一方の側に有し、２本のピン２１を他方の側に有する。図に示されている実施形態では、これら２本のピンが付いているアダプタ１９の本体２２の表面は、２つの孔が形成されている表面から本体２２の反対側にある。アダプタ１９の内側に、孔２０内に差し込んだときに三叉プラグ１の２本のピン３、４と接触する孔２０の中の電気的接続部がある。
【００６３】
図に示されている電気プラグ１の実施形態が、このアダプタ１９とともに使用される場合、接続部材６および可動ピン５の長軸は、２本の固定ピン３、４がアダプタ１９内に差し込まれたときに２本の固定ピン３、４の長軸に揃わないが、その代わりに、可動ピン５または接続部材６から妨げられることなく、アダプタ１９内に２本の固定ピン３、４を挿入可能な方向を向いている。アダプタ１９内の孔２０は、例えば、英国、マレーシア、シンガポール、香港、マルタ、キプロス、またはアイルランドで使用されているような従来の三叉プラグのライブピンおよびニュートラルピンを受け入れるのに必要な寸法と同じ寸法とすることが可能である。アダプタ１９の２本のピン２１は、ヨーロッパまたは米国で使用されているような従来の二叉プラグの２本のピンと同じものとすることが可能である。このプラグアダプタ１９は、従来の三叉−二叉プラグ変換アダプタに比べて占有体積が小さく、上述の可動ピン５を備える三叉プラグ１を補完する。
【００６４】
図９Ａおよび図９Ｂに示されている本発明の他の実施の形態によれば、二叉電気プラグ２５を従来の三叉電気プラグソケットと併用できるようにする電気アダプタプラグ２３が実現される。アダプタ２３は、本明細書で説明されている電気プラグ２５のいずれかの可動ピン５を有し、本明細書で説明されている三叉プラグと同様の格納効果を有する。また、これは、ヨーロッパまたは米国で使用されているような、従来の二叉プラグの２本のピンを受け入れることができる２つの開口部または孔２４を有する。二叉プラグを孔２４内に差し込んだときに従来の二叉プラグの２本のピンが接触する電気的接続部が、アダプタ２３の本体２６の内側にある。このようなアダプタ２３は、二叉電気プラグを用いる国から三叉電気プラグを使用する国に旅行したときに、従来のかさばる三叉アダプタプラグを購入する必要がないため、有益である。
【００６５】
本発明の他の実施の形態によれば、本出願において説明されている複数の実施形態のどれかの実施形態の電気プラグおよび電気デバイスに適宜差し込めるケーブルを備える充電器ユニットが実現される。図１０に示されている実施形態は、電話機充電器２７として動作させるのに適している。この実施形態では、充電装置は、充電器２７のハウジング２８内に収納される。ハウジング２８内の電気接点に接続されているケーブル２９は、ハウジング２８に取り付けられ、携帯電話の適当なソケット内に差し込めるその一端に接続されているプラグ３０を有する。充電器２７は、本発明の他の実施形態を参照しつつ本明細書で説明されている折り畳み可能または可動ピン５を有するが、これは、従来の三叉充電器に比べて平たくなるように充電器２７を折り畳めることを意味する。他の実施形態では、充電装置は、プラグのハウジングの外部に設けることが可能である。図１０に示されている実施形態の充電器２７は、携帯電話とともに使用することが意図されているが、他の実施形態では、この充電器は、例えば、ＰＤＡ、ラジオ、ＭＰ３プレーヤー、ラップトップ型コンピュータ、パームトップ型コンピュータ、またはＧＰＳデバイスを充電および／または給電するのに適しているとも考えられる。
【００６６】
図１１は、本発明によるプラグの他の実施形態を例示している。図１１の実施形態では、複数の特徴が上述の実施形態に追加されている。これらの特徴は、特に、プラグの安全性の向上ならびに使い勝手および耐久性の向上に関するものである。
【００６７】
図１１Ａ〜図１１Ｇでは、順番に、プラグがどのように開かれるかを示しており、特に、プラグが使用位置にあるときにヒューズに触れないようにするヒューズ格納機能を備える接続部材６の相互作用を示している。
【００６８】
凹部５０は、中のヒューズ５５の位置決めのため本体内に備えられる。ヒューズ５５をライブピン４と通常の方法でプラグから出ているケーブルとの間に電気的に接続するため凹部５０内に接続部が設けられている。
【００６９】
凹部５０への接近が可能な位置から凹部５０の開口部の上にある位置まで移動可能な（例示されている実施形態では回転可能な）ドアまたはカバー部材６０が備えられ、ヒューズ５５および関連する端子を覆う。カバー６０は、カバー６０が、一般に、故意にこじ開けられない限り凹部５０を覆う閉位置に留まるようにスナップ式取付具などの閉鎖デバイスを備えることができる。凹部５０の内側は、スクリュードライバーまたは類似の道具を使用してヒューズ５５を交換する場合に接近することができる。
【００７０】
図１１Ｂ〜図１１Ｅを比較することでわかるように、プラグ１を使用しているとき（つまり、ソケット内にあるとき）にはカバー６０を開けられないようにするために、接続部材６の底部に突起部７０が設けられている。プラグ１の相対的幾何学的形状は、接続部材６が使用位置にあるときに、突起部７０がカバー６０の上に配置され、これにより、接続部材６が使用位置にあるときにカバー６０が開くのを防ぐような形状である。この特徴は、ヒューズを備えることができ、プラグ１がソケット内に挿入されている間にヒューズに触ったり、ヒューズを取り外したりする潜在的に危険であると思われる行為を妨げる特徴を有するという点で、プラグ１の安全性を大いに高める。
【００７１】
接続部材６の突起部７０の特徴は、さらに、使用位置にある接続部材６を支持するというものである。突起部７０は、突起部７０とカバー６０および／または本体２の他の部分の間の相互作用によりほぼ垂直位置を超えて接続部材６がさらに回転するのを防ぐ。この特徴は、特に、大きな力が接続部材６の本体２とのジョイント部分に加えられうる場合にプラグ１をソケットに挿入する際にプラグ１の強度を高める。
【００７２】
図１１にさらに例示されているのは、ソケット内に、また第２のシャフト８のその端部の反対側に挿入される可動ピン５の端部と反対側にある可動ピン５の端部に取り付けられている板部材８０である。この板部材８０は、使用位置において、接続部材６の板受け入れ面８２と係合し、可動部材５が可動ピン５のほぼ水平位置を超えてさらに回転するのを防ぐように配列されている。
【００７３】
板部材８０は、溝と、接続部材６に相対的に可動ピン５をユーザー側で回転するのを助ける人間工学的に考えられた形状を持つ伸長突起部８５（図１１Ｃを参照）とを備える。板８０は、主要面がピン５の長軸に実質的に垂直になるように付けられる。したがって、板部材８０の主面は接続部材６の長軸に実質的に平行な板部材８０の受け入れ面８２と係合する。さらに、板部材８０の端面８３（図１１Ｄを参照）は、接続部材６の板部材端面受け入れ面８４（図１１Ｆを参照）と係合する。接続部材６の板部材端面受け入れ面８４は、接続部材６の長軸に実質的に垂直である。
【００７４】
このようにして、図１１Ｈからわかるように、プラグ１の美的側面は、後ろから見たときに実質的に改善されており、また使い勝手および強度も改善されている。これは、一部は板部材８０によるものであり、さらには接続部材６の特定の形状によるものでもある。接続部材６は、可動ピン５のいずれかの側に位置する２枚の板６２、６４を備える（図１１Ｃを参照）。そこで、第２のシャフト８は、最初に接続部材６の第１の板６２を通り、次いで、可動ピン５を通り、次いで、接続部材６の第２の板６４を通る。この機構は、使用位置にあるときに板部材８０により背後から隠されている。板６２、６４は、それぞれ個別に、図２の第１のシャフト７と同等の２本のシャフトが本体内にあるように、蝶番で本体２に連結することができる（図１の実施形態の第１のシャフトと比べて）。これにより、長軸が同時に生じるか、または平行になるように回転可能ピン５を接続部材６に相対的に回転させることができる。つまり、図１１Ａに示されている折り畳まれた位置で、ピン５の端部は、実際には、接続部材６が本体２に相対的に回転する際に中心となる軸が通過する位置にある。
【００７５】
図１１の実施形態の最後の特徴は、プラグ１がソケット内に挿入されたときにソケットと同一平面上に据え付けられる本体２の面の周りにフランジ９０（図１１Ａを参照）を設けることである。対応するフランジ９２（図１１Ｂを参照）は、接続部材上に備えられる。フランジ９０、９２は、本体２のかさを目立って大きくすることなくソケットの孔からプラグ２のエッジまでの距離を長くすることによりデバイスの安全性を改善する。
【００７６】
図１２Ａ〜Ｅは、図１０と似た充電器ユニット／電源を例示している。図１０の充電器／ユニット電源の潜在的欠点の１つは、ソケットに挿入したときに、ハウジング２８が、ソケットからかなり遠くまで延びることである。したがって、ソケットから最も遠いハウジング２８の末端に小さな力を加えただけでもプラグにきわめて大きな力がかかる可能性がある。しかし、充電器ユニットは、さらなる小型化を進めることは困難であり、問題になる可能性がある。この問題は図１２の実施形態において解消されている。
【００７７】
図１２Ａは、上から見た使用位置の図であり、図１２Ｂ〜Ｅは、充電器ユニットのさまざまなコンポーネントが組み立てのために、格納位置から使用位置にどのように移動されるかを示している。
【００７８】
適切であれば、図１１の実施形態の特徴は、図１２の充電器ユニット／電源のプラグコンポーネント内に組み込まれる。
【００７９】
図１２Ｂおよび図１２Ｃを比較すると最もはっきりわかるように、ピン３、４が取り付けされ固定される本体２は、充電器のコンポーネントの大半を収納するハウジング２８に相対的に回転可能である。このように、一般的に平坦で細長い設計のハウジング２８を製造することにより、格納位置における充電器ユニット／電源の厚みを最小にすることが可能である。これは、ハウジング２８が本体２の厚さに比べて厚くないか、またはあまり厚くならないようにすることにより可能である。次いで、本体２は、シャフト７、８の軸に実質的に平行な軸を通してハウジング２８に相対的に約９０°まで回転可能であるように配列される。そこで、接続部材６および可動ピン５が、使用位置に移動された場合、ハウジング２８は、その厚さに等しい量だけソケットから突き出るような（図１０の実施形態の場合の長さに対する量とは反対に）位置に回転されている。これは、ピン３、４をハウジングに相対的に回転可能にし、また可動ピン５を、それ自体ハウジングとは無関係にピン３、４に相対的に回転可能でもある接続部材に相対的に回転可能にすることにより実現される。この方法で、デバイスの安全性はさらに向上する。図１２のデバイスは、図１０に関して説明されているように機能のすべてにおいて使用されうる。
【００８０】
図１３は、本発明の一実施形態による複数の部品からなるキットとともに使用する挿入物１００に対するピン１１０の６種類の配列を示している。ピン１１０は、本体１２０上に固定された関係を持つように取り付けられる。例示されている実施形態によれば、本体１２０は、円筒状であるが、他の実施形態では、本体１２０は、異なる形状であってもよい。
【００８１】
本発明による部品のキットは、図１５に例示されているようなハウジング１３０といっしょに、挿入物１００のうちの少なくとも２つを含む。ハウジング１３０は、例えば、ヒューズ、充電器ハウジング１３０、または電源ユニットを備えることができる、プラグハウジングとすることができる。例えば、挿入物１００は、充電器ユニット１３０と挿入物１００のうちの１つとを合わせることにより図１５に示されている充電器ユニット１３０とともに使用することが可能である。挿入された後、挿入物１００は、図１２の実施形態と同様に、格納位置と作動位置との間で、ハウジング１３０に相対的に回転可能である。図１４の実施形態は、さらに、部品のキットに対する挿入物のうちの１つを形成することができる。
【００８２】
異なる挿入物１００上のピン１１０のそれぞれの配列は、その結果として得られるプラグを特定の国（または国々）のソケットとともに使用できるような配列である。ピン１１０の配列は、図に示されているもの限定されず、したがって、ピン１１０は、どの国のソケットにも対応できる。したがって、挿入物１００は、任意の数のピン１１０を備えることができる。
【００８３】
挿入物１００は、製造時に選択または変更することができるか、またはどのソケットにプラグ、充電器、または電源ユニットを挿入されるかに応じてユーザー側で選択または変更することができる。
【００８４】
図１４Ａおよび図１４Ｂは、可動ピン５および／または接続部材６を配置するためのストッパー１４０を備える本発明の一実施形態を示している。ストッパー１４０は、接続部材６上に配置され、また接続部材６とともに移動可能であってよい。ストッパー１４０を含む接続部材６の一実施形態の詳細図は、図１７に示されている。
【００８５】
ストッパー１４０は、可動ピン５上の突起部１５０と係合することにより作動位置にあるときに接続部材６に相対的に可動ピン５の位置を決めるために使用できる。ストッパー１４０は、このようにして、可動ピン５と接続部材６との間の角度が、所定の最大値、例えば、９０度を超えないようにするために使用できる。
【００８６】
ストッパー１４０は、それに加えて、またはそれとは別に、図１４Ｂに示されているように、本体２の一部と係合させることにより、接続部材６と本体２との間の角度が所定の最大値を超えないようにするために使用することができる（ストッパー１４０は、ハウジング１６０と係合する）。
【００８７】
図１４Ａおよび図１４Ｂに例示されている実施形態は、ストッパー１４０を、図１５に示されている充電本体１３０内に挿入することが可能なハウジング１６０上に取り付けられた接続部材６の一部として示している。可動ピン５および接続部材６をストッパー１４０とともに組み込む、結果として得られる充電ユニット１７０は、図１６Ａ〜Ｃに示されている。
【００８８】
ストッパー１４０は、それとは別に、接続部材６および可動ピン５を伴う本明細書で説明されている本発明の他の実施形態のいずれかとともに使用することが可能である。例えば、図１７に示されているような、ストッパー１４０を含む、可動ピン５および接続部材６の幾何学的形状を、三叉プラグ内に、または充電器ユニット内に組み込むことが可能である。
【００８９】
図１１を参照しつつ上で説明されているように、接続部材６は、２つの部分からなる。これは、可動ピン５を格納位置にある部分の間に配置できること、およびさらに、組み立てやすいように接続部材６を本体に取り付けられている位置に軽く押し付けることができることを含む、いくつかの利点を有する。
【００９０】
図１８は、例えば、プラスチックなどの絶縁材料を使用して、プラグが重ね成形される一実施形態を示している。この特徴は、本明細書で説明されているプラグまたは充電器ユニットのどれかに使用することができる。ヒューズなどの電気的内蔵部品を重ね成形することにより、例えば、耐水性にすることで、プラグまたは充電器ユニットをより安全なものにできる。
【図面の簡単な説明】
【００９１】
【図１】格納位置にある本発明の一実施形態による三叉プラグの斜視図。
【図２】作動位置にある本発明の一実施形態による三叉プラグの斜視図。
【図３Ａ】作動位置にある本発明の一実施形態による三叉プラグの側面図。
【図３Ｂ】作動位置にある本発明の一実施形態による三叉プラグの平面図。
【図４Ａ】格納位置にある本発明の一実施形態による三叉プラグの側面図。
【図４Ｂ】格納位置にある本発明の一実施形態による三叉プラグの平面図。
【図４Ｃ】格納位置にある本発明の他の実施形態による三叉プラグの側面図。
【図５】本発明の一実施形態による三叉プラグの内部の斜視図。
【図６】本発明の一実施形態による三叉プラグの内部の分解図。
【図７】可動ピンが突出部を有し、接続部材が溝を有する一実施形態の分解斜視図。
【図８Ａ】本発明の一実施形態による三叉−二叉電気プラグ変換アダプタの斜視図。
【図８Ｂ】本発明による三叉プラグの一実施形態が差し込まれている、本発明の一実施形態による三叉−二叉電気プラグ変換アダプタを示す図。
【図９Ａ】本発明の一実施形態による二叉−三叉電気プラグ変換アダプタの斜視図。
【図９Ｂ】従来の二叉プラグが差し込まれている、本発明の一実施形態による二叉−三叉電気プラグ変換アダプタを示す図。
【図１０】本発明の一実施形態による電話充電器を示す図である。
【図１１Ａ】本発明のさらなる実施形態を示す図。
【図１１Ｂ】本発明のさらなる実施形態を示す図。
【図１１Ｃ】本発明のさらなる実施形態を示す図。
【図１１Ｄ】本発明のさらなる実施形態を示す図。
【図１１Ｅ】本発明のさらなる実施形態を示す図。
【図１１Ｆ】本発明のさらなる実施形態を示す図。
【図１１Ｇ】本発明のさらなる実施形態を示す図。
【図１１Ｈ】本発明のさらなる実施形態を示す図。
【図１２Ａ】本発明によるアダプタまたは充電器を示す図。
【図１２Ｂ】本発明によるアダプタまたは充電器を示す図。
【図１２Ｃ】本発明によるアダプタまたは充電器を示す図。
【図１２Ｄ】本発明によるアダプタまたは充電器を示す図。
【図１２Ｅ】本発明によるアダプタまたは充電器を示す図。
【図１３Ａ】本発明による部分からなるキットで使用する充電可能挿入物を示す図。
【図１３Ｂ】本発明による部分からなるキットで使用する充電可能挿入物を示す図。
【図１３Ｃ】本発明による部分からなるキットで使用する充電可能挿入物を示す図。
【図１３Ｄ】本発明による部分からなるキットで使用する充電可能挿入物を示す図。
【図１３Ｅ】本発明による部分からなるキットで使用する充電可能挿入物を示す図。
【図１３Ｆ】本発明による部分からなるキットで使用する充電可能挿入物を示す図。
【図１４Ａ】本発明による停止要素を備える三叉プラグを示す図。
【図１４Ｂ】本発明による停止要素を備える三叉プラグを示す図。
【図１５】本発明による部分からなるキットで使用する充電器本体を示す図である。
【図１６Ａ】格納および作動位置にある本発明による組み立てられた充電器ユニットを示す図。
【図１６Ｂ】格納および作動位置にある本発明による組み立てられた充電器ユニットを示す図。
【図１６Ｃ】格納および作動位置にある本発明による組み立てられた充電器ユニットを示す図。
【図１７】本発明とともに使用する停止要素を備える回転ピンを示す図である。
【図１８】重ね成形された格納位置にある本発明による三叉プラグを示す図である。
【符号の説明】
【００９２】
１  電気プラグ
２  本体
３、４  固定ピン
５  可動ピン
６  接続部材
９  陥凹部
１２  突起部
１３  溝
１５、１６  付勢手段
【図１】
2009532838.tif 000003
【図２】
2009532838.tif 000004
【図３Ａ】
2009532838.tif 000005
【図３Ｂ】
2009532838.tif 000006
【図４Ａ】
2009532838.tif 000007
【図４Ｂ】
2009532838.tif 000008
【図４Ｃ】
2009532838.tif 000009
【図５】
2009532838.tif 000010
【図６】
2009532838.tif 000011
【図７】
2009532838.tif 000012
【図８Ａ】
2009532838.tif 000013
【図８Ｂ】
2009532838.tif 000014
【図９Ａ】
2009532838.tif 000015
【図９Ｂ】
2009532838.tif 000016
【図１０】
2009532838.tif 000017
【図１１Ａ】
2009532838.tif 000018
【図１１Ｂ】
2009532838.tif 000019
【図１１Ｃ】
2009532838.tif 000020
【図１１Ｄ】
2009532838.tif 000021
【図１１Ｅ】
2009532838.tif 000022
【図１１Ｆ】
2009532838.tif 000023
【図１１Ｇ】
2009532838.tif 000024
【図１１Ｈ】
2009532838.tif 000025
【図１２Ａ】
2009532838.tif 000026
【図１２Ｂ】
2009532838.tif 000027
【図１２Ｃ】
2009532838.tif 000028
【図１２Ｄ】
2009532838.tif 000029
【図１２Ｅ】
2009532838.tif 000030
【図１３Ａ】
2009532838.tif 000031
【図１３Ｂ】
2009532838.tif 000032
【図１３Ｃ】
2009532838.tif 000033
【図１３Ｄ】
2009532838.tif 000034
【図１３Ｅ】
2009532838.tif 000035
【図１３Ｆ】
2009532838.tif 000036
【図１４Ａ】
2009532838.tif 000037
【図１４Ｂ】
2009532838.tif 000038
【図１５】
2009532838.tif 000039
【図１６Ａ】
2009532838.tif 000040
【図１６Ｂ】
2009532838.tif 000041
【図１６Ｃ】
2009532838.tif 000042
【図１７】
2009532838.tif 000043
【図１８】
2009532838.tif 000044
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続されており、前記本体に対する回転軸が前記本体の上面と下面との間に位置していることを特徴とする電気プラグ。
【請求項２】
前記接続部材に回転可能に接続されている前記ピンは、格納位置と作動位置との間で移動可能であることを特徴とする請求項１に記載の電気プラグ。
【請求項３】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
前記接続部材に回転可能に接続されている前記ピンは、格納位置と作動位置との間を移動する際に、他の２本のピンの長軸を含む面に平行でかつ他の２本のピン長軸に直交する軸に対して１５０度から２１０度の間で回転することを特徴とする電気プラグ。
【請求項４】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、格納位置では他の２本のピンを含む面とほぼ同一の面内に配置され、作動位置では他の２本のピンを含む面から外側に配置されることを特徴とする電気プラグ。
【請求項５】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
接続部材および接続部材に回転可能に接続されている前記ピンの回転は、前記接続部材に回転可能に接続されている前記ピンが格納位置にあるときに、本体に位置決めされて横たわっている他の２つのピンの長軸により定められる平面に対して直交する方向のプラグの最大寸法を示していることを特徴とする電気プラグ。
【請求項６】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
接続部材に回転可能に接続されている前記ピンが格納位置にあるときに、そのピンの少なくとも一部が他の２本のピンの間に配置されることを特徴とする電気プラグ。
【請求項７】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
前記接続部材に回転可能に接続されている前記ピンが格納位置にあるときに、前記ピンは、他の２つのピンの間に実質上配置されていることを特徴とする電気プラグ。
【請求項８】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
前記接続部材に回転可能に接続されている前記ピンが格納位置にあるときに、前記ピンの長軸が前記本体を通過していることを特徴とする電気プラグ。
【請求項９】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
前記接続部材に回転可能に接続されている前記ピンが操作位置にあるときに、
接続部材は、陥凹部の背面に係合することを特徴とする電気プラグ。
【請求項１０】
前記接続部材は、前記本体の陥凹部内で回転可能に接続されており、前記接続部材に回転可能に接続されている前記ピンが前記作動位置に移動するときに、前記接続部材が前記本体の陥凹部の表面に当たって静止し、前記本体に相対的にさらに回転するのを防ぐことによりその向きを固定するように構成され、前記陥凹部は、前記スロットに連通していることを特徴とする請求項９に記載の電気プラグ。
【請求項１１】
前記本体の前記陥凹部の前記表面は、前記接続部材に回転可能に接続されている前記ピンのさらなる回転を防止して、前記ピンが前記他の２本のピンから離れるのを防ぐことを特徴とする請求項９または請求項１０に記載の電気プラグ。
【請求項１２】
電気プラグであって、
３本のピンと、
１つの接続部材と、
１つの本体とを備え、
前記ピンのうちの１本のピンは、前記接続部材に回転可能に接続され、
前記接続部材は、前記本体に回転可能に接続され、
前記接続部材に回転可能に接続されている前記ピンは、格納位置と作動位置との間で移動可能であり、
前記本体は、前記接続部材に回転可能に接続されている前記ピンが前記格納位置にあるときに、（ｉ）前記接続部材に回転可能に接続されている前記ピンと、（ｉｉ）前記接続部材とが配置されるスロットを備えることを特徴とする電気プラグ。
【請求項１３】
前記接続部材に回転可能に接続されている前記ピンが前記作動位置にあるときに、前記他の２つのピンの長軸により定められる平面と、前記平面に対し法線方向にある前記接続部材に回転可能に接続されている前記ピンとの間の最大距離は、
前記他の２本のピンの長軸により定められる前記平面と、前記接続部材に回転可能に接続されている前記ピンが前記格納位置にあるときに前記平面に対し法線方向の接続部材に回転可能に接続されている前記ピンとの間の最大距離よりも大きいことを特徴とする請求項２から請求項１２のいずれか一項に記載の電気プラグ。
【請求項１４】
前記接続部材に回転可能に接続されている前記ピンは、前記接続部材への相対的回転により前記格納位置と前記作動位置との間で移動可能であることを特徴とする請求項２から請求項１３のいずれか一項に記載の電気プラグ。
【請求項１５】
前記接続部材は、前記接続部材に回転可能に接続されている前記ピンが前記格納位置と前記作動位置との間で移動するときに前記本体に相対的に回転することができることを特徴とする請求項２から請求項１４のいずれか一項に記載の電気プラグ。
【請求項１６】
前記接続部材に回転可能に接続されている前記ピンが前記作動位置にあるときに、前記ピンの長軸は、前記他の２本のピンの前記長軸に平行でかつ、前記他の２本のピンの前記長軸により共有される前記平面とは異なる平面内に存在することを特徴とする請求項２から請求項１５のいずれか一項に記載の電気プラグ。
【請求項１７】
前記接続部材に回転可能に接続されている前記ピンが前記作動位置にあるときの前記接続部材の前記長軸は、前記ピンが前記格納位置にあるときと比べて、前記ピンの前記長軸に対して垂直に近い状態であることを特徴とする請求項２から請求項１６のいずれか一項に記載の電気プラグ。
【請求項１８】
前記接続部材に回転可能に接続されている前記ピンが前記格納位置にあるときに、前記ピンの長軸が、前記接続部材の長軸に対して３０度の角度範囲内に存在していることを特徴とする請求項２から請求項１７のいずれか一項に記載の電気プラグ。
【請求項１９】
前記接続部材に回転可能に接続されている前記ピンが前記格納位置にあるときの前記接続部材の前記長軸は、前記接続部材に回転可能に接続されている前記ピンが前記作動位置にあるときと比べて、前記他の２本のピンの前記長軸に対して平行に近い状態であることを特徴とする請求項２から請求項１８のいずれか一項に記載の電気プラグ。
【請求項２０】
前記接続部材に回転可能に接続されている前記ピンが前記格納位置にあるときに、前記ピンおよび前記接続部材は、前記２本の他のピンと実質的に同じ方向で前記本体から外向きに突出することを特徴とする請求項２から請求項１９のいずれか一項に記載の電気プラグ。
【請求項２１】
さらに、前記接続部材に回転可能に接続されている前記ピンおよび／または前記接続部材を前記格納位置から前記作動位置に付勢する付勢手段を備えることを特徴とする請求項２から請求項２０のいずれか一項に記載の電気プラグ。
【請求項２２】
前記付勢手段は、バネを含むことを特徴とする請求項２１に記載の電気プラグ。
【請求項２３】
前記接続部材に回転可能に接続されている前記ピンおよび／または前記接続部材を前記格納位置に解放可能に拘束する拘束具を備えることを特徴とする請求項２から請求項２２のいずれか一項に記載の電気プラグ。
【請求項２４】
前記接続部材に回転可能に接続されている前記ピンの回転の軸は、前記２本の他のピンの長軸により形成される前記平面に実質的に平行であり、前記他の２本のピンの縦軸方向に対して実質的に垂直であることを特徴とする請求項１から請求項２３のいずれか一項に記載の電気プラグ。
【請求項２５】
前記接続部材の回転の軸は、前記２本の他のピンの長軸により形成される前記平面に実質的に平行であり、前記他の２本のピンの縦軸方向に対して実質的に垂直であることを特徴とする請求項１から請求項２４のいずれか一項に記載の電気プラグ。
【請求項２６】
（ｉ）前記接続部材に回転可能に接続されている前記ピンと（ｉｉ）前記接続部材の一方が突起部を備え、（ｉ）前記接続部材に回転可能に接続されている前記ピンと（ｉｉ）前記接続部材の他方が、前記突起部の移動が可能な溝を備えることを特徴とする請求項１から請求項２５のいずれか一項に記載の電気プラグ。
【請求項２７】
前記ピンは、前記突起部が前記溝の一方端部と係合する第１の位置に移動可能な構成を有することを特徴とする請求項２６に記載の電気プラグ。
【請求項２８】
前記３本のピンのうちの２本は、いずれも前記接続部材に回転可能に接続されたピンではなく、前記本体に対して取り付けられ、前記本体に相対的に固定されていることを特徴とする請求項１から請求項２７のいずれか一項に記載の電気プラグ。
【請求項２９】
前記本体は、前記プラグ用のヒューズを中に挿入するための陥凹部を備えることを特徴とする請求項１から請求項２８のいずれか一項に記載の電気プラグ。
【請求項３０】
前記接続部材は、前記接続部材の使用位置では、前記陥凹部にユーザーが接近するのを妨げ、前記接続部材の格納位置では、ユーザーが前記陥凹部に接近するのを許す突起部を備えることを特徴とする請求項２９に記載の電気プラグ。
【請求項３１】
前記陥凹部を覆うためのカバーを備えることを特徴とする請求項２９または請求項３０に記載の電気プラグ。
【請求項３２】
前記接続部材は、使用時に、前記可動ピンと前記接続部材との間の角度、および／または前記接続部材と前記本体との間の角度が、所定の最大値を超えないようにするストッパーを備えることを特徴とする請求項１から請求項３１のいずれか一項に記載の電気プラグ。
【請求項３３】
前記接続部材に回転可能に接続されている前記ピンは、アースピンであることを特徴とする請求項１から請求項３２のいずれか一項に記載の電気プラグ。
【請求項３４】
前記接続部材に回転可能に接続されている前記ピンは、少なくとも部分的には非導電性材料から作られていることを特徴とする請求項１から請求項３３のいずれか一項に記載の電気プラグ。
【請求項３５】
前記接続部材に回転可能に接続されている前記ピンは、プラスチックまたはカーボンファイバーから作られることを特徴とする請求項１から請求項３４のいずれか一項に記載の電気プラグ。
【請求項３６】
前記電気プラグは、二重絶縁プラグであることを特徴とする請求項１から請求項３５のいずれか一項に記載の電気プラグ。
【請求項３７】
前記本体は、ハウジングであることを特徴とする請求項１から請求項３６のいずれか一項に記載の電気プラグ。
【請求項３８】
さらに、電気ケーブルを備え、前記電気ケーブルは、前記ピンと電気的に接触していることを特徴とする請求項１から請求項３７のいずれか一項に記載の電気プラグ。
【請求項３９】
２つの開口部を持つソケットを備える本体を有する請求項１から請求項３７のいずれか一項に記載した電気プラグを具備することを特徴とする電気プラグアダプタ。
【請求項４０】
前記ソケットの開口部内の電気接点、及び、前記ピンのうちの１本のピンと電気接点との間の電気的接続部、及び、前記ピンのうちの他の１本のピンと前記他の電気接点との間の電気的接続部を備えることを特徴とする請求項３９に記載の電気プラグアダプタ。
【請求項４１】
請求項１から請求項３７に記載の前記電気プラグを備えることを特徴とする充電器ユニットまたは電源。
【請求項４２】
電気デバイスに差し込むのに適しているケーブルを備えることを特徴とする請求項４１に記載の充電器ユニットまたは電源。
【請求項４３】
前記充電器ユニットまたは電源のコンポーネントを収納するためのハウジングを備えることを特徴とする請求項４１または請求項４２に記載の充電器または電源。
【請求項４４】
前記ハウジングは、前記本体に相対的に回転可能であることを特徴とする請求項４３に記載の充電器ユニットまたは電源。
【請求項４５】
前記ハウジングおよび本体は、前記本体に相対的な前記接続部材の回転の中心となる軸に実質的に平行な軸によって互いに回転可能に支持されていることを特徴とする請求項４４に記載の充電器ユニットまたは電源。
【請求項４６】
携帯電話、ＰＤＡ、ラジオ、ＭＰ３プレーヤー、ラップトップ型コンピュータ、パームトップ型コンピュータ、またはＧＰＳデバイスを充電するのに適していることを特徴とする請求項４１から請求項４５のいずれか一項に記載の充電器ユニットまたは電源。
【請求項４７】
さらに、前記充電器を備え、前記充電器の一部は、前記本体内に含まれることを特徴とする請求項４１から請求項４６のいずれか一項に記載の充電器ユニットまたは電源。
【請求項４８】
本体と３本のピンを備える電気プラグであって、前記ピンのうちの少なくとも１本のピンは、前記プラグの少なくとも１つの全体的寸法が使用位置のときよりも小さい格納位置から、使用位置での前記プラグのヒューズへの接近が阻止される使用位置まで移動可能であることを特徴とする電気プラグ。
【請求項４９】
前記ヒューズへの接近は、前記使用位置における前記可動ピンの正しい位置決めのため前記プラグの少なくとも１つのコンポーネントの必要な位置により前記使用位置において阻止されることを特徴とする請求項４８に記載の電気プラグ。
【請求項５０】
さらに、請求項１から請求項３８のいずれか一項に記載の特徴を備えることを特徴とする請求項４８または請求項４９に記載の電気プラグ。
【請求項５１】
電気デバイスであって、
ハウジングと、
少なくとも２つの挿入物とを備え、前記各挿入物は前記ハウジング内に挿入可能に製作され、それぞれの挿入物は電気ソケット内に挿入可能な少なくとも１本のピンを備えることを特徴とする電気デバイス。
【請求項５２】
それぞれの挿入物は、前記ハウジング内に挿入されたときに前記ハウジングに相対的に回転可能に製作されることを特徴とする請求項５１に記載の電気デバイス。
【請求項５３】
前記ハウジングは、充電器ユニット、電源ユニット、またはプラグであることを特徴とする請求項５１または請求項５２に記載の電気デバイス。
【国際調査報告】
2009532838.tif 000045
2009532838.tif 000046
2009532838.tif 000047
2009532838.tif 000048
2009532838.tif 000049